(57)【要約】【課題】受信者と送信者との心の通じ合いを深めることの可能なメール送受信装置を提供する。【解決手段】受信手段が受信したメールに付された信号を基に、振分手段はメールを通常メールと車メールとに振り分ける。非表示手段は、通常メールを表示し、車メールを非表示にする。車はブルーツゥースなどによる信号を発信する。車から発せられた信号を車信号受信手段が受信したとき、表示手段は非表示手段を解除し、車メールを表示する。これにより、メール送受信装置の使用者Ａは、車を使用するときに限り、車メールを見ることができる。メール送受信装置に車メールを送る送信者Ｂは、使用者Ａが車の使用時に車メールを見ることを予測した内容のメールを送信することができる。【選択図】図２
2013088957.tif 000002
【特許請求の範囲】
【請求項１】
メールを受信する受信手段と、
受信したメールに付された信号を基にメールを通常メールと車メールとに振り分ける振分手段と、
通常メールを表示し、車メールを非表示にすることの可能な非表示手段と、
車から発せられる信号を受信する車信号受信手段と、
車信号受信手段が車から発せられた信号を受信したとき、非表示手段を解除し、車メールを表示する表示手段と、を備えたメール送受信装置。
【請求項２】
通常メールを受信する第１受信手段と、
通常メールとはメールアドレスの異なる車メールを受信する第２受信手段と、
通常メールを表示し、車メールを非表示にすることの可能な非表示手段と、
車から発せられる信号を受信する車信号受信手段と、
車信号受信手段が車から発せられた信号を受信したとき、非表示手段を解除し、車メールを表示する表示手段と、を備えたメール送受信装置。
【請求項３】
表示手段が車メールを表示したとき、その車メールの送信者に返信メールを自動または手動で返信する返信手段を備えた請求項１又は２に記載のメール送受信装置。
【請求項４】
請求項１に記載のメール送受信装置と、
第１メール送受信装置の振分手段が車メールであることを認識可能な車メール信号をそのメールに付記することの可能な車メール信号付記手段を備えた第２メール送受信装置と、
車の所定の動作により、車信号受信手段が受信可能な車信号を発信することの可能な車信号発信手段と、を備えたメール送受信システム。
【発明の詳細な説明】
【技術分野】
【０００１】
本発明は携帯電話などメールを送受信することの可能なメール送受信装置、およびそれを備えたメール送受信システムに関する。
【背景技術】
【０００２】
従来より、携帯電話またはスマートフォンなど、メールを送受信することの可能なメール送受信装置が知られている。
特許文献１には、車の走行中、携帯電話によってダウンロードした電子メールを車内の記憶装置に表示することの可能な車載用通信制御システムが記載されている。
【先行技術文献】
【特許文献】
【０００３】
【特許文献１】特開平１０−２８９１７７号公報
【発明の開示】
【発明が解決しようとする課題】
【０００４】
しかしながら、特許文献１では、メールの表示される場所が携帯電話から車内の表示装置に切り替わるに過ぎない。
本発明は、受信者と送信者との心の通じ合いを深めることの可能なメール送受信装置を提供することにある。
【課題を解決するための手段】
【０００５】
上記課題を解決するため、請求項１に係るメール送受信装置は、受信手段が受信したメールに付された信号を基に、振分手段がメールを通常メールと車メールとに振り分ける。
非表示手段は、通常メールを表示し、車メールを非表示にすることが可能である。
車から発せられた信号を車信号受信手段が受信したとき、表示手段は非表示手段を解除し、車メールを表示する。
これにより、メール送受信装置の使用者は、車を使用するときに限り、車メールを見ることができる。一方、メール送受信装置に車メールを送る送信者は、メール送受信装置の使用者が車の使用時に車メールを見ることを予測した内容のメールを送信することができる。
なお、「車メール」とは、車を使用する際に見ることが可能なメールと定義し、「通常メール」とは「車メール」以外のメールと定義する。
【０００６】
請求項２に係るメール送受信装置は、通常メールを受信する第１受信手段と、通常メールとはメールアドレスの異なる車メールを受信する第２受信手段とを備える。
これにより、振分手段を備えることなく、上記請求項１に係るメール送受信装置と同様の作用効果を奏することができる。
【０００７】
請求項３に係るメール送受信装置は、表示手段が車メールを表示したとき、その車メールの送信者に返信メールを自動または手動で返信する返信手段を備える
これにより、メール送受信装置に車メールを送る送信者は、メール送受信装置の使用者が車メールを見たこと、または車を使用したことを知ることができる。
【図面の簡単な説明】
【０００８】
【図１】本発明の第１実施形態のメール送受信装置を含むシステムの構成図。
【図２】本発明の第１実施形態のメール送受信装置。
【図３】本発明の第２実施形態のメール送受信装置を含むシステムの構成図。
【図４】本発明の第３実施形態のメール送受信装置を含むシステムの構成図。
【発明を実施するための形態】
【０００９】
以下、本発明の実施形態を図面に基づいて説明する。
（第１実施形態）
第１実施形態のメール送受信装置は、メールを送受信することの可能な機能を有するスマートフォンなどである。
図１に示すように、第１、第２メール送受信装置１、２は、そこに組み込まれたマイコンが種々の手段として機能する。
受信手段３は、メールを受信する。
振分手段４は、受信したメールに付された信号を基にメールを通常メールと車メールとに振り分ける。
非表示手段５は、通常メールをスマートフォンの表示画面に表示するが、車メールは表示画面に非表示にすることが可能である。
車信号受信手段６は、車７に備えられた車信号発信手段８から発せられるブルーツゥースなどによる信号を受信する。
表示手段９は、車信号受信手段が車から発せられた信号を受信したとき、非表示手段を解除し、車メールを表示する。
【００１０】
メール送受信装置の使い方の一例を挙げる。
第１メール送受信装置は、会社に勤めるＡの所有物とする。第２メール送受信装置は、Ａの妻Ｂの所有物とする。Ｂは第２メール送受信装置から第１メール送受信装置へ、例えば今日の夕食のメニューなどをメールしておく。このとき、Ｂは、車メール信号付記手段１０により、第１メール送受信装置の振分手段が車メールであることを認識可能な車メール信号をそのメールに付記して、送信する。
Ａが例えば会社から自宅へ帰るとき、車のドアを開ける又は車のキーをＯＮすると、車の車信号発信手段が動作し、車信号を発信する。この車信号を第１メール送受信装置の車信号受信手段は受信する。すると表示手段は、非表示手段を解除し、図２に示すように、車メールを表示する。
さらに、返信手段１１は、表示手段が車メールを表示したとき、第２メール送受信装置に返信メールを自動返信する。なお、返信手段は、返信メールの内容を第１メール送受信装置の所有者Ａに確認する画面を表示し、Ａの手動操作に従って第２メール送受信装置に返信メールを返信してもよい。
【００１１】
本実施形態では、Ｂは、Ａが仕事中であることに気兼ねすることなく、車メールをすることができる。一方、Ａは、仕事中に車メールを見ることがないので、仕事に集中できる。そして、仕事帰りに、車のドアを開ける又は車のキーをＯＮすると、Ｂの車メールの内容を見ることができる。すると、仕事モードから家庭モードに頭が切り替わり、帰宅するのが楽しくなり、仕事の疲れを家庭に持ち込まなくなる。
Ｂは、第１メール送受信装置から自動送信される返信メールによって、Ａの帰宅時間の予測ができる。
【００１２】
（第２実施形態）
第２実施形態のメール送受信装置を図３に示す。第２実施形態のメール送受信装置は、２つのメールアドレスを有する。一方のメールアドレスが通常メールを送受信するものであり、他方のメールアドレスが車メールを送受信するものである。
第１受信手段１２は、通常メールを受信する。第２受信手段１３は、車メールを受信する。
第２実施形態のメール送受信装置の使い方の一例を挙げる。
Ｂは第２メール送受信装置から第１メール送受信装置へ、車メールのメールアドレスにより車メールを送信する。
Ａが、車のキーをＯＮすると、車の車信号発信手段が車信号を発信する。この車信号を第１メール送受信装置の車信号受信手段が受信すると、表示手段は、非表示手段を解除し、車メールを表示する。
本実施形態では、Ｂは、車メール信号付記手段を備えていないスマートフォンなどから車メールを送信することができる。
なお、車のキーがＯＮされている状態では、第１メール送受信装置は、通常メールと車メールとを、所定時間間隔で交互に送受信する。これにより、通常メールを見逃すことはない。
【００１３】
（参考例）
参考例を図４に示す。この参考例では、Ａが車のドアを開ける又は車のキーをＯＮすると、車の車信号発信手段が動作し、車信号を発信する。この車信号を第１メール送受信装置の車信号受信手段が受信すると、返信手段（送信手段）１１は、受信手段が第２メール送受信装置のメールを受信しているか否かに関わらず、第２メール送受信装置にメールを自動送信する。なお、返信手段（送信手段）は、メールの内容を第１メール送受信装置の所有者Ａに確認する画面を表示し、Ａの手動操作に従って第２メール送受信装置にメールを送信してもよい。
Ｂは、第１メール送受信装置から送信されるメールによって、Ａの帰宅時間を予測することができる。
【符号の説明】
【００１４】
１：第１メール送受信装置、２：第２メール送受信装置、３：受信手段、４：振分手段、
５：非表示手段、６：車信号受信手段、８：車信号発信手段、１１：返信手段、１２：第１受信手段、１３：第２受信手段
【図１】
2013088957.tif 000003
【図２】
2013088957.tif 000004
【図３】
2013088957.tif 000005
【図４】
2013088957.tif 000006